(57)【要約】  【課題】  掻取部材の劣化や損傷を生じさせない塗布具付き容器の提供。  【解決手段】  液状化粧料を収容するための収容部１１及び収容部内から液状化粧料を取り出すための開口部１２を有する容器本体１と、収容部１１内から液状化粧料を取り出して塗布するための塗布具２と、開口部１２に設けられ、塗布具２に付着した液状化粧料の一部を掻き取るための掻取部材３とを備え、塗布具２は、柄部と、柄部２１から先端側に向けて延出し収容部１１内の液状化粧料中に浸すことを可能とされた棒状部２２と、棒状部２２に設けられ軸線方向に延びる溝２１ｃと、溝２１ｃ内から外側に向けて突出する複数の櫛歯からなるコーム部２３とを有し、棒状部２２が掻取部材３中を通過する通過時においてコーム部２３を溝２１ｃ内に収納される収納状態とし、通過時以外の時においてコーム部２３を溝２１ｃ内から外側に向けて突出する突出状態とし得るスイッチ機構４を備えた。【選択図】  図１
2006122386.tif 000002
【特許請求の範囲】
【請求項１】
液状化粧料を収容するための収容部及びこの収容部内から液状化粧料を取り出すための開口部を有する容器本体と、この収容部内から液状化粧料を取り出して塗布するための塗布具と、前記開口部に設けられ、前記塗布具に付着した液状化粧料の一部を掻き取るための掻取部材とを備えた塗布具付き容器であって、
前記塗布具は、柄部と、この柄部から先端側に向けて延出し前記収容部内の液状化粧料中に浸すことを可能とされた棒状部と、この棒状部に設けられ軸線方向に延びる溝と、この溝内から外側に向けて突出する複数の櫛歯からなるコーム部とを有しており、
前記棒状部が前記掻取部材中を通過する通過時において前記コーム部を前記溝内に収納される収納状態とし、前記通過時以外の時において前記コーム部を前記溝内から外側に向けて突出する突出状態とし得るスイッチ機構を備えたことを特徴とする塗布具付き容器。
【請求項２】
前記掻取部材は、前記棒状部に付着した液状化粧料のうち前記溝内の液状化粧料以外の液状化粧料を掻き取るように構成されていることを特徴とする請求項１に記載の塗布具付き容器。
【発明の詳細な説明】
【技術分野】
【０００１】
本発明は、マスカラ、アイブロー、染毛料その他の液状化粧料を収容するとともに収容された液状化粧料を取り出して塗布するためのコーム式の塗布具を備えた液状化粧料容器に用いられる塗布具付き容器に関する。
【背景技術】
【０００２】
従来のこの種の塗布具付き容器としては、例えばマスカラを収容するための収容部及びこの収容部内のマスカラを取り出すための開口部を有する容器本体と、この容器本体からマスカラを取り出して塗布するための塗布具であって円柱状の柄部及びこの柄部から先端側に向けて延出する塗布部たるコーム部を有するものと、開口部に設けられ、塗布具に付着したマスカラの一部を掻き取るための掻取部材とを備えたものが開示されている（例えば、特許文献１参照）。
【特許文献１】登録実用新案第３０６９２３５号公報
【発明の開示】
【発明が解決しようとする課題】
【０００３】
ところで、従来の塗布具付き容器における掻取部材は、コーム部が掻取部材中を通過する際に、コーム部に付着したマスカラの一部で余剰のものを掻き取ることにより、適正な量のマスカラが付着したコーム部とする役割を果たす。それゆえ、掻取部材は、その開口部の内径寸法がコーム部の外径寸法より僅かに小さく設定されており、また、ある程度の硬さをもつ材質からなるコーム部より軟らかい材質からなるものとして構成されている。
これに対して、コーム部は、本来的に睫毛にマスカラを塗布するのに適した櫛歯形状であるのこぎりの歯のような輪郭形状に形成されている。
したがって、従来の塗布具付き容器にあっては、ある程度の硬さをもつコーム部が軟らかい掻取部材中を繰り返し通過するうちに、掻取部材の劣化や損傷を生じる虞がある。
そこで、本発明は、コーム部が掻取部材中を繰り返し通過した場合でも、掻取部材の劣化や損傷を生じさせない塗布具付き容器を提供することにより、耐久性・安定性・使用性に優れた塗布具付き容器の市場への普及を図ることを目的とする。
【課題を解決するための手段】
【０００４】
上記課題を解決するため、本発明に係る塗布具付き容器は、液状化粧料を収容するための収容部及びこの収容部内から液状化粧料を取り出すための開口部を有する容器本体と、この収容部内から液状化粧料を取り出して塗布するための塗布具と、開口部に設けられ、塗布具に付着した液状化粧料の一部を掻き取るための掻取部材とを備えた塗布具付き容器であって、塗布具は、柄部と、この柄部から先端側に向けて延出し収容部内の液状化粧料中に浸すことを可能とされた棒状部と、この棒状部に設けられ軸線方向に延びる溝と、この溝内から外側に向けて突出する複数の櫛歯からなるコーム部とを有しており、棒状部が掻取部材中を通過する通過時においてコーム部を溝内に収納される収納状態とし、通過時以外の時においてコーム部を溝内から外側に向けて突出する突出状態とし得るスイッチ機構を備えたことを特徴としている。
このような塗布具付き容器によれば、柄部の先端側に軸線方向に延びる溝を有する液状化粧料の棒状部及び溝内から外側に向けて突出するコーム部を設けてなる塗布具と、コーム部の収納状態及び突出状態の間での切り換えを可能とするスイッチ機構とを備えるので、コーム部が掻取部材中を繰り返し通過した場合でも、掻取部材の劣化や損傷を生じさせないことが可能となる。
したがって、これによれば、耐久性・安定性・使用性に優れた塗布具付き容器の市場への普及を図ることが可能となる。
【０００５】
このような技術的手段において、一定量の液状化粧料をコームに付着させることを可能として、より一層安定性・使用性に優れた化粧品の市場への普及を図るという観点からすれば、掻取部材は、棒状部に付着した液状化粧料のうち溝内の液状化粧料以外の液状化粧料を掻き取るように構成されていることが好ましい。
【発明の効果】
【０００６】
本発明に係る塗布具付き容器によれば、コーム部が掻取部材中を繰り返し通過した場合でも、掻取部材の劣化や損傷を生じないこととなる。
【発明を実施するための最良の形態】
【０００７】
以下、添付図面に基づいて本発明の実施の形態を詳細に説明する。
【０００８】
図１は本発明の一実施の形態に係る塗布具付き容器の全体構成を示す斜視図、図２は同塗布具付き容器における容器本体を示す斜視図、図３は同塗布具付き容器における塗布具（突出状態）を示す斜視図、図４は同塗布具付き容器における塗布具（収納状態）を示す斜視図、図５〜図７は同塗布具付き容器における塗布具の動作（概略）を説明する斜視図、図８〜図１０は同塗布具付き容器における塗布具の動作（詳細）を説明する斜視図である。
【０００９】
本実施の形態において、塗布具付き容器は、マスカラを収容するとともに収容されたマスカラを取り出して塗布するための塗布具を備えたものとして構成されている。
【００１０】
具体的には、この塗布具付き容器は、図１に示すように、ボトル１と、キャップ付き塗布具２と、しごき部材３と、スイッチ機構４とを備えるものとして構成されている。
【００１１】
以下、これらの各構成要素についてさらに詳細に説明する。
【００１２】
（１）ボトル１
ボトル１は、図２に示すように、プラスチック材料からなり、マスカラを収容するための収容部１１と、この収容部１１内からマスカラを取り出すための開口部１２とを有するものとして構成されている。
【００１３】
すなわち、ボトル１は、従来の塗布具付き容器におけるものと同様、マスカラを収容するとともに、収容されたマスカラを取り出すことを可能とするものである。したがって、このような役割を果たすものであれば、本発明においてボトル１の代わりにジャー、チューブ、スティックその他の容器本体を用いても差し支えなく、また、プラスチック材料からなるボトル１の代わりに金属、ガラス、紙若しくはこれらの複合材料からなる容器本体その他の容器本体を用いることが可能である。
【００１４】
具体的には、ボトル１は、図２に示すように、有底筒状に形成され収容部１１が設けられる胴体部５１と、肩部５２を介して胴体部５１の上側に連続する首部５３とからなっている。ここで開口部１２は、首部５３の内周として形成されている。
【００１５】
（２）キャップ付き塗布具２
キャップ付き塗布具２は、図３に示すように、柄部２１と、この柄部２１から先端側に向けて延出し収容部１１内のマスカラ中に浸すことを可能とされた棒状部２２と、この棒状部２２に設けられた複数の櫛歯からなるコーム部２３とを有している（図４参照）。
【００１６】
すなわち、キャップ付き塗布具２は、従来の塗布具付き容器におけるものと同様、この収容部１１内からマスカラを取り出すとともに、これをコーム部２３を通じて塗布すべき箇所に塗布するために用いられるものである（図１参照）。したがって、このような役割を果たすものであれば、本発明においてキャップ付き塗布具２の代わりにキャップと別個独立の塗布具その他の塗布具を用いることができる。なお、ここでキャップ付き塗布具２は、図１に示すように、ボトル１にキャップを装着した場合に棒状部２２及びコーム部２３が容器内に収納されるようになっているが、本発明における塗布具の容器内への収納形式はこれに限定されず、容器外であって当該容器の包装内に収納するなど、適宜の変更が可能である。
【００１７】
具体的には、キャップ付き塗布具２は、図３に示すように、柄部２１としての有頂筒状（例えば円筒状）のキャップ部２１ａと、このキャップ部２１ａから先端側に向けて延出し収容部１１内のマスカラを付着させて保持するための棒状棒状部２１ｂと、この棒状部２２に設けられ軸線方向に延びる溝２１ｃと、この溝２１ｃ内から外側に向けて突出する複数の櫛歯を間欠的かつ軸線方向に列状配置してなる列状コーム部２１ｄとを有している（図４参照）。
【００１８】
ここで棒状棒状部２１ｂは、図３に示すように、後述するスイッチ機構４を具体化するために、キャップ部２１ａから先端側に向けて延出する筒状部６１と、この筒状部６１内に後端側から挿入される棒体６２とからなっており、棒体６２が筒状部６１内をガイドとして移動することを可能としている。なお、キャップ部２１ａは、ボトル１の首部５３に装着されることによりボトル１の開口部１２を密閉する役割を果たす。
【００１９】
（３）しごき部材３
しごき部材３は、図２に示すように、内周をキャップ付き塗布具２の棒状部２２が通過する通過孔３１とする略筒状（例えば円筒状）に形成されており、開口部１２（例えば外周が首部５３内であって収容部１１内を臨む部位）に装着されている。
【００２０】
すなわち、しごき部材３は、通過孔３１内をキャップ付き塗布具２の棒状部２２が通過する際に、棒状部２２に付着したマスカラの一部で余剰のものを掻き取ることにより、適正な量のマスカラが付着したコーム部２３とするために用いられるものである（図５参照）。したがって、このような役割を果たすものであれば、本発明においてしごき部材３の代わりに筒状を形成しない掻取部材（例えば複数の分割片からなるもの）その他の掻取部材を用いてもよい。なお、ここでしごき部材３は、弾性を有するゴム体（例えば合成ゴム材料からなるもの）とするが、本発明における掻取部材はこれに限定されず、プラスチック等の殆ど弾性を有しない掻取部材など、適宜の変更が可能である。
【００２１】
具体的には、しごき部材３は、図５に示すように、棒状部２２を収容部１１内のマスカラ中に浸すことにより棒状部２２に付着することとなったマスカラのうち、溝２１ｃ内に保持されているマスカラ以外の余剰のマスカラを掻き取ることが可能となっている。
【００２２】
このようなしごき部材３により、コーム部２３が収納される収納状態（図５参照）にある溝２１ｃ内において一定量のマスカラを保持することが可能となっており、これにより、一定量のマスカラが保持された溝２１ｃ内から外側に向けて収納状態（図６参照）から突出状態（図７参照）に変化する動作を行うコーム部２３においても一定量のマスカラを付着させて保持することが可能となっており、その結果、より一層安定性・使用性に優れた化粧品の市場への普及を図ることが可能となっている。
【００２３】
（４）スイッチ機構４
スイッチ機構４は、棒状部２２がしごき部材３中を通過する通過時においてコーム部２３を溝２１ｃ内に収納される収納状態（図４参照）とし、この通過時以外の時においてコーム部２３を溝２１ｃ内から外側に向けて突出する突出状態とすることを可能とするものである。
【００２４】
具体的には、このスイッチ機構４は、図５及び図６に示すように、棒状部２２及びコーム部２３を収容部１１内及び収容部１１外の間で出し入れする動作を利用することにより筒状部６１をガイドとして棒体６２を移動させる棒体移動機構４１と、特定の弾性を有する弾性コーム部４２と、複数の通孔を有する孔付き溝４３と、棒体移動機構４１による棒体６２の移動範囲の限界を画する棒体位置決め手段４４とからなっている。
【００２５】
ここで棒体移動機構４１は、図５に示すように、棒状部２２をキャップ部２１ａから先端側に向けて延出する筒状部６１とこの筒状部６１内に後端側から挿入される棒体６２とで構成してなる可動式棒状部４１ａとするとともに、この棒体６２の先端部から外側に向けて膨出する膨出部４１ｂを設けてなるものである。すなわち、このような膨出部４１ｂを設けることにより、棒体６２が収容部１１外から収容部１１内又は収容部１１内から収容部１１外に向けてしごき部材３中を通過する際に膨出部４１ｂ及びしごき部材３の間に所定の抵抗を生じさせることが可能となっており、これにより、可動式棒状部４１ａ及び弾性コーム部４２を収容部１１内及び収容部１１外の間で出し入れする動作に追従して筒状部６１をガイドとしてする棒体６２の移動を行うことが可能となっている（同図参照）。
【００２６】
また、弾性コーム部４２は、図６に示すように、棒体６２の側部から外側に向けて突出する複数の櫛歯からなり、かつ、各櫛歯を横倒し状態から起立状態に原形復帰させるような弾性を有している。
【００２７】
さらに、孔付き溝４３は、筒状部６１に設けられ、その底部の各櫛歯に対応する部位に複数の通孔４３ａを有するものとして構成されている。ここで各通孔４３ａは、棒体６２の移動に追従して各櫛歯が横倒し状態から起立状態に原形復帰するのに支障とならない大きさ・形状に設定されている。
【００２８】
また、棒体位置決め手段４４は、図６に示すように、各櫛歯の各先端部以外の部分が対応する各通孔４３ａの後端側にあって筒状部６１及び棒体６２の間で横倒し状態とされる位置（図８の位置）に棒体６２の位置決めをする第一の位置決め手段４４ａと、各櫛歯の全部をこれらに対応する各通孔４３ａ内にあることとすることにより各櫛歯が起立状態とされる位置（図１０の位置）に棒体６２の位置決めをする第二の位置決め手段４４ｂとからなっている。
【００２９】
ここで前述した膨出部４１ｂは、筒状部６１の先端に当接することにより後端側に向けてされる棒体６２の移動を規制するものであり、第一の位置決め手段４４ａとしての役割を果たしている。
【００３０】
また、各櫛歯及びこれらに対応する各通孔４３ａは、図１０に示すように、各櫛歯のそれぞれがこれらに対応する各通孔４３ａ内において起立状態となることにより先端側に向けてされる棒体６２の移動を規制するものであり、第二の位置決め手段４４ｂとしての役割を果たしている。
【００３１】
このようにスイッチ機構４は、一方では、棒体６２の膨出部４１ｂが収容部１１内に向けてしごき部材３中を通過する際の抵抗を利用することにより、各櫛歯の全部が対応する各通孔４３ａ内にあって起立状態とされる突出状態にある位置（図１０の位置）から、各櫛歯の各先端部以外の部分が対応する各通孔４３ａの後端側にあって筒体及び棒体６２の間で横倒し状態とされる収納状態にある位置（図８参照）まで棒体６２を移動させて切り換えるものとして構成されている。また、スイッチ機構４は、他方では、棒体６２の膨出部４１ｂが収容部１１外に向けて後述するしごき部材３中を通過する際の抵抗を利用することにより、各櫛歯の各先端部以外の部分が対応する各通孔４３ａの後端側にあって筒体及び棒体６２の間で横倒し状態とされる収納状態にある位置（図８の位置）から、各櫛歯の全部が対応する各通孔４３ａ内にあって起立状態とされる突出状態にある位置（図１０の位置）まで棒体６２を移動させて切り換えるものとして構成されている。
【００３２】
すなわち、スイッチ機構４は、図６に示すように、可動式棒状部４１ａがしごき部材３中を通過する通過時以外の時において弾性コーム部４２を孔付き溝４３内から外側に向けて突出する突出状態とすることを可能とするものであり、これにより、収容部１１内からマスカラを取り出すとともに、取り出したマスカラを弾性コーム部４２を通じて塗布すべき箇所に塗布するというキャップ付き塗布具２の基本的な機能を発揮させることが可能となっている（図５参照）。
【００３３】
ここでスイッチ機構４に可動式棒状部４１ａがしごき部材３中を通過する通過時において弾性コーム部４２を溝２１ｃ内に収納される収納状態とすることを要求するのは、可動式棒状部４１ａがしごき部材３中を通過中は常に弾性コーム部４２を孔付き溝４３内に収納するようにして弾性コーム部４２がしごき部材３と接触すること又は弾性コーム部４２がしごき部材３と強く接触することを回避することにより、弾性コーム部４２がしごき部材３中を繰り返し通過した場合でもしごき部材３の劣化や損傷を生じさせない塗布具付き容器とするためである。したがって、このような役割を果たすものであれば、本発明において棒体６２の移動体に伴うしごき部材３との抵抗を利用したスイッチ機構４の代わりに棒体６２の移動以外の使用者の力を利用したスイッチ機構、ばね等の弾性体の原形復帰力自体を利用したスイッチ機構その他のスイッチ機構を用いることが可能である。
【００３４】
上記したように、本実施の形態に係る塗布具付き容器においては、キャップ部２１ａの先端側に軸線方向に延びる溝２１ｃを有するマスカラの棒状部２２及び溝２１ｃ内から外側に向けて突出するコーム部２３を設けてなるキャップ付き塗布具２と、コーム部２３の収納状態及び突出状態の間での切り換えを可能とするスイッチ機構４とを備えるものとして構成されている。
【００３５】
したがって、このような塗布具付き容器によれば、コーム部２３がしごき部材３中を繰り返し通過した場合であっても、しごき部材３の劣化や損傷を生じさせないことが可能となっており、その結果、耐久性・安定性・使用性に優れた塗布具付き容器を市場に普及させることが可能となっている。
【図面の簡単な説明】
【００３６】
【図１】本発明の一実施の形態に係る塗布具付き容器の全体構成を示す斜視図である。
【図２】同塗布具付き容器の外観構成を示す斜視図である。
【図３】同塗布具付き容器における塗布具（突出状態）を示す斜視図である。
【図４】同塗布具付き容器における塗布具（収納状態）を示す斜視図である。
【図５】同塗布具付き容器における塗布具の動作（概略）を説明する斜視図である。
【図６】同塗布具付き容器における塗布具の動作（概略）を説明する斜視図である。
【図７】同塗布具付き容器における塗布具の動作（概略）を説明する斜視図である。
【図８】同塗布具付き容器における塗布具の動作（詳細）を説明する斜視図である。
【図９】同塗布具付き容器における塗布具の動作（詳細）を説明する斜視図である。
【図１０】同塗布具付き容器における塗布具の動作（詳細）を説明する斜視図である。
【符号の説明】
【００３７】
１ ボトル
２ 塗布具
３ しごき部材
４ スイッチ機構
１ ボトル
２ 塗布具
３ しごき部材
４ スイッチ機構
１１ 収容部
１２ 開口部
２１ 柄部
２１ａ キャップ部
２１ｂ 棒状棒状部
２１ｃ 溝
２１ｄ 列状コーム部
２２ 棒状部
２３ コーム部
３１ 通過孔
４１ 棒体移動機構
４１ａ 可動式棒状部
４１ｂ 膨出部
４２ 弾性コーム部
４３ 孔付き溝
４３ａ 通孔
４４ 棒体位置決め手段
４４ａ 第一の位置決め手段
４４ｂ 第二の位置決め手段
５１ 胴体部
５２ 肩部
５３ 首部
６１ 筒状部
６２ 棒体
【図１】
2006122386.tif 000003
【図２】
2006122386.tif 000004
【図３】
2006122386.tif 000005
【図４】
2006122386.tif 000006
【図５】
2006122386.tif 000007
【図６】
2006122386.tif 000008
【図７】
2006122386.tif 000009
【図８】
2006122386.tif 000010
【図９】
2006122386.tif 000011
【図１０】
2006122386.tif 000012